(57)【要約】【課題】この発明は、釣道具で、高所の磯釣りまたは防波堤釣りで魚の捕獲の目的で使用する落としタモ網で、安全でしかも広範囲に使えて軽量、糸がらみなく使い勝手の良い竿付きの落としタモ網を提供する。【解決手段】タモ網部（４）に突起部（６）を設ける、そして竿（１）の先端に突起収納部（２）を設ける、竿（１）の手元側にはリール（３）を直接またはリールガイドを介して取りける、そしてリール（３）には糸（５）を巻いておき、糸（５）は竿の内側を通しタモ網部（４）に付ける、または竿に糸ガイドを取りつけ、外通としタモ網部（４）につける。【選択図】　図１
2004008199.tif 000002
【特許請求の範囲】
【請求項１】
イ、タモ網部（４）に突起部（６）を設ける、
ロ、竿（１）の先端に突起収納部（２）を設ける、
ハ、竿（１）の手元側にリール（３）を直接またはリールガイドを介して取りつける、
ニ、リール（３）には糸（５）を巻いておき、糸（５）は竿の内側を通しタモ網部（４）に付ける、または竿に糸ガイド（１０）を取りつけ、外通としタモ網部、（４）につける、
以上の如く構成された、竿付落としタモ網。
【請求項２】
イ、竿（１）の先端に、挿入部（７）を形成する、
ロ、タモ網部（４）に収納部（８）を設ける、
ハ、竿（１）の手元側にリール（３）を直接またはリールガイドを介して取りつける、
ニ、リール（３）には糸（５）を巻いておき、糸（５）は竿の内側を通しタモ網部（４）に付ける、または竿に糸ガイド（１０）を取りつけ、外通としタモ網部、（４）につける、
以上の如く構成された、竿付落としタモ網。
【発明の詳細な説明】
【０００１】
【発明の属する技術分野】
この発明は、釣道具で、高所の磯釣りまたは防波堤釣りで魚の捕獲の目的で使用する落としタモ網で、安全でしかも広範囲に使えて軽量、糸がらみなく使い勝手の良い竿付きの落としタモ網に関するものである。
【０００２】
【従来の技術】
従来、落としタモ網の使用はひもと枠に網がついているだけの物で、魚を捕獲しようとするにはすぐ近くまで魚を誘導しなければならず、前かがみの姿勢をとるため落下の危険と恐怖心がともなった。
落としタモの使用の範囲が腕の長さだけだったので狭かった。
また、落としタモのひもの処理が大変で、時にはからまってしまう事があった。
【０００３】
【発明が解決しようとする課題】
イ、高所にて行う磯釣り、または防波堤釣りで魚の捕獲のタモ入れは前屈み姿勢をとるので危険であった。
ロ、広範囲に落としタモ網が使用できなかった。
ハ、落としタモ網のひもの取り回しが難しく、からまること。
ニ、初心者では、落としタモ網が使えなかった。
【０００４】
【課題を解決するための手段】
本発明は上記課題を解決する為のもので、タモ網部（４）に突起部（６）を設ける、そして竿（１）の先端に突起収納部（２）を設ける、ここで突起部（６）と突起収納部（２）は脱着が簡単に行えるように、双方の外形、内形には、緩みをもたせた寸法とした。
竿（１）の手元側にリール（３）を直接またはリール脱着用にリールガイドを介して取りつける、リール（３）には糸（５）を巻いておき、糸（５）は竿の内側を通しタモ網部（４）に付ける、または竿に糸ガイドを取りつけ、外通としタモ網部（４）につける、
【０００５】
【発明の実施の形態】
本発明を使用するときは、まず竿（１）を持ってリール（３）をフリーの状態で前に突く、するとタモ網部（４）が突起収納部（２）から飛び出す、タモ網部が落下するにつれリール（３）から糸（５）が竿内部または糸ガイドを通り出ていく、海水にタモ網部（４）が浸かつたところでリール（３）を手で押さえるかロックして、魚をタモ網部（４）に入れ、リール（３）を巻き上げ捕獲する。
捕獲し終えたら、突起収納部（２）に突起部（６）を差し込み次にそなえる。
【０００６】
【実施例】
以下、本発明の実施例について説明する。
図１、図２、図３、に示すように、
タモ網部（４）に突起部（６）を設ける、そして竿（１）の先端に突起収納部（２）を設ける、ここで突起部（６）と突起収納部（２）は脱着が簡単に行えるように、双方の外形、内形には、緩みをもたせた寸法とした。
竿（１）の手元側にリール（３）を直接またはリール脱着用にリールガイドを介して取りつける、リール（３）には糸（５）を巻いておき、糸（５）は竿の内側を通しタモ網部（４）に付ける、または竿に糸ガイドを取りつけ、外通としタモ網部（４）につけた。
またリール（３）には見やすく、また釣る魚の大きさに合わせて糸（５）をサイズを決めて巻いておく。特にリリアン糸が見やすく強かった。
材質は、竿には合成樹脂製または竹で対応した、タモ網と竿の挿入合わせ部分も同じ材質としたが、木材、軽金属でも対応できる。どの部品も特別なものは必要としないが、軽量の合成樹脂が良い。
【０００７】
図７、に示すように、突起収納部（２）と突起部（６）の断面形状を三角形、四角形および多角形とすると、
タモ網部（４）が回転しなくなったので、タモ網部（４）を突き出して、投げ入れる時に、水平が保て振込易くなった。
竿（１）は伸縮自在の振り出しとしたところ、運搬性がよくなり落としタモ網の使用範囲が広がった。
【０００８】
図１に示すように、
運搬中にタモ網部（４）が脱落しないように突起収納部（２）の中側奥にとつ部（９）をテーパー状に形成した。
突起部（６）を突起収納部（２）の奥に押し込むと、窮屈に押し込めて突起部（６）は竿（１）に固定される、そこで竿（１）とともに使用すると、通常の柄付タモ網として使用できた。
また竿（１）を振り出し竿とすると柄付タモ網の使用範囲が広がって掛けた魚をすくい捕獲できた。
【０００９】
本発明は以上のような構造で、この作用を説明すると、
本発明を使用するときは、まず竿（１）を持ってリール（３）をフリーの状態で前に突く、するとタモ網部（４）が突起収納部（２）から飛び出す、タモ網部が落下するにつれリール（３）から糸（５）が竿内部または糸ガイドを通り出ていく、海水にタモ網部（４）が浸かつたところでリール（３）を手で押さえるかロックして、魚をタモ網部（４）に入れ、リール（３）を巻き上げ捕獲する。
捕獲し終えたら、突起収納部（２）に突起部（６）を差し込み次にそなえる。
【００１０】
４図、５図、６図、に示すように、
収納場所を竿先からタモ網部に変更した、
竿（１）の先端に、挿入部（７）を形成する、そしてタモ網部（４）に収納部（８）を設ける、また竿（１）の手元側にはリール（３）を直接またはリールガイドを介して取りつける、リール（３）には糸（５）を巻いておき、糸（５）は竿の内側を通しタモ網部（４）に付ける、または竿に糸ガイドを取りつけ、外通としタモ網部（４）につける、
以上のような構成でも同様の効果があります。
【００１１】
４図、６図、に示すように、
運搬中にタモ網部（４）が脱落しないように収納部（８）の中側奥にとつ部（９）をテーパー状に形成した、
挿入部（７）を収納部（８）の奥に窮屈に押し込めて挿入部（７）は竿（１）に固定される、そこで竿（１）とともに使用すると、通常の柄付タモ網として使用できた。また竿（１）を振り出し竿とすると柄付タモ網の使用範囲が広がって掛けた魚をすくい捕獲できた。
【００１２】
【発明の効果】
イ、磯釣りまたは防波堤釣りで魚の捕獲のタモ網入れは前屈み姿勢をとらないで行えて安全である。
ロ、広範囲に落としタモ網が使用できる。
ハ、落としタモ網のひもの取り回しが簡単になって、からむことはなくなった。ニ、初心者でも、落としタモ網が扱える。
ホ、落としタモで柄付タモとしての使用が出来た。
【図面の簡単な説明】
【図１】本発明の正面図
【図２】本発明の平面図
【図３】本発明の実施例糸ガイド付の正面図
【図４】本発明の実施例差し込み部を逆にした正面図
【図５】本発明の実施例差し込み部を逆にした平面図
【図６】本発明の実施例差し込み部を逆にしたガイド付の正面図
【図７】本発明の実施例差し込み部の斜視図
【符号の説明】
１竿　　２突起収納部　　３リール　　４タモ網部　　５糸
６突起部　　７挿入部　　８収納部　　９とつ部　　１０糸ガイド
【図１】
2004008199.tif 000003
【図２】
2004008199.tif 000004
【図３】
2004008199.tif 000005
【図４】
2004008199.tif 000006
【図５】
2004008199.tif 000007
【図６】
2004008199.tif 000008
【図７】
2004008199.tif 000009